(57)【要約】【課題】  遮蔽網の上端縁に繋着した索条を滑車との間に掛け回すだけの簡素な構成であって、しかも掛け回した索条の垂直部分を操作する簡易な操作で遮蔽網をベランダの床側から天井まで安全かつ適確に昇降できるベランダにおけるネット昇降装置を提供する。【解決手段】  建物のベランダにおいて遮蔽網１を設ける位置の両端部に対応して天井２および床側３にそれぞれ滑車４、５、６、７を装備する。遮蔽網１の上端縁に繋着した索条８を滑車６、４、５、７の順に掛け回して索条８の垂直部分を上下方向に操作することにより遮蔽網１を昇降自在に構成する。【選択図】        図１
2009197387.tif 000002
【特許請求の範囲】
【請求項１】
建物のベランダにおいて遮蔽網を設ける位置の少なくとも両端部に対応して天井および床側にそれぞれ滑車を装備し、
遮蔽網の上端縁に繋着した索条を上記滑車に掛け回して索条の垂直部分を上下方向に操作することにより遮蔽網を昇降自在に構成したこと
を特徴とするベランダにおけるネット昇降装置。
【請求項２】
天井には、遮蔽網の両端部間にも滑車を装備し、遮蔽網の上端縁に複数条の索条を繋着して滑車間に掛け回す構成としたことを特徴とする請求項１記載のベランダにおけるネット昇降装置。
【請求項３】
遮蔽網は、上下方向伸縮網または可撓性網でなることを特徴とする請求項１または２記載のベランダにおけるネット昇降装置。
【発明の詳細な説明】
【技術分野】
【０００１】
本発明は、建物のベランダにおいて美観保持、目隠し、物の落下防止、日除け、風圧緩和、鳥除け及び植栽等のために装備する遮蔽網を、床側から天井まで簡便な操作で安全かつ適確に昇降できるようにしたベランダにおけるネット昇降装置に関するものである。
【背景技術】
【０００２】
建物のベランダにおいて美観保持、目隠し、物の落下防止、日除け、風圧緩和、鳥除けおよび植栽等のために遮蔽網を装備することと、その遮蔽網を昇降できるようにすることは、従来から種々のものが提案されている（例えば、実開平７−６３０２号公報、特開２００２−４７５３公報、特開２００１−４５９５６公報参照）。
【特許文献１】実開平７−６３０２号公報
【特許文献２】特開２００２−４７５３公報
【特許文献３】特開２００１−４５９５６公報
【発明の開示】
【発明が解決しようとする課題】
【０００３】
前掲の特許文献にも紹介されているように、この種のベランダにおける遮蔽網は、昇降や開閉のできないものであったり、実開平７−６３０２号公報が紹介しているようにたとえ昇降が可能であっても、その構成が複雑であって操作も容易でないものであるうえ、特に強い風圧を受ける高層階のベランダに装備して用いるものとしては安全性や操作性に欠けるものであることは否めない。
【０００４】
そこで本発明は、建物のベランダにおいて、遮蔽網を設ける位置の少なくとも両端部に対応して天井および床面にそれぞれ滑車を装備して、遮蔽網の上端縁に繋着した索条を滑車との間に掛け回すだけの簡素な構成であって、しかも掛け回した索条の垂直部分を操作する簡易な操作で遮蔽網をベランダの床側から天井まで安全かつ適確に昇降できるベランダにおけるネット昇降装置を提供することを目的とするものである。
【課題を解決するための手段】
【０００５】
上記目的を達成するため本発明は請求項１、２および３に係るベランダにおけるネット昇降装置を提供する。すなわち、請求項１に係るベランダにおけるネット昇降装置は、建物のベランダにおいて遮蔽網を設ける位置の少なくとも両端部に対応して天井および床面側にそれぞれ滑車を装備し、遮蔽網の上端縁に繋着した索条を上記滑車に掛け回して索条の垂直部分を上下方向に操作することにより遮蔽網を昇降自在に構成したことを特徴とするものである。
【０００６】
また、請求項２に係るベランダにおけるネット昇降装置は、請求項１記載の構成において、天井には、遮蔽網の両端部間にも滑車を装備し、遮蔽網の上端縁に複数条の索条を繋着して滑車間に掛け回す構成としたことを特徴とするものである。
【発明の効果】
【０００７】
本発明によれば、建物のベランダにおいて、遮蔽網を設ける位置の少なくとも両端部に対応して天井および床面にそれぞれ滑車を装備して、遮蔽網の上端縁に繋着した索条を滑車との間に掛け回すだけの簡素な構成であって、しかも掛け回した索条の垂直部分を操作する簡易な操作で遮蔽網をベランダの床側から天井まで安全かつ適確に昇降できるベランダにおけるネット昇降装置が得られる。
【発明を実施するための最良の形態】
【０００８】
図面は本発明の一実施の形態に係るベランダにおけるネット昇降装置の全体斜視図、図２は本発明の他の実施の形態に係るベランダにおけるネット昇降装置の全体斜視図、図３は本発明のさらに他の実施の形態に係るベランダにおけるネット昇降装置の全体斜視図である。
【０００９】
図１に示すように、建物のベランダにおいて遮蔽網１を設ける位置の両端部に対応して天井２に滑車４、５を、床側３に滑車６、７それぞれ装備する。そして、遮蔽網１の上端縁にはその一端に索条８を取付部材９により繋着し、その索条８を上記滑車６、４、５、７の順に掛け回したうえ遮蔽網１の上端縁の他端に取付部材１０により繋着して、索条８のいずれかの垂直部分を上下方向に操作することにより遮蔽網１を昇降自在に構成する。索条８にはその一部に索条８を適度の緊張状態に調整するための伸縮調整器を介在させてある（図示せず）。なお、索条８はワイヤであるが、これはチェーンや紐（ロープ）等であってもよい。図示の実施の形態では、床３側に装備する滑車６、７を床３面に直接取り付けているが、これらの滑車６、７は状況に対応してベランダの手摺り上部に備えることも可能である（図示せず）。
【００１０】
上記のように構成した本発明のベランダにおけるネット昇降装置において、索条８のいずれかの垂直部分を上下方向に操作すれば、遮蔽網１は弛みを生じることなく昇降させることができ、遮蔽網１を任意の高さに簡便、安全かつ適確に装備することができる。なお、遮蔽網１は、ベランダの美観保持、目隠し、物の落下防止、日除け、風圧緩和、鳥除け等となるほか、植栽のための鉢掛け壁や植物の支えとなるものである。
【００１１】
本発明のベランダにおけるネット昇降装置は図２に示すように構成することができる。図２に示す構成においては、遮蔽網１の上端縁に沿ってそれと略同長の水平バー１１を備えており、遮蔽網１は水平バー１１に吊り下げられている。また、天井２には両端の滑車４、５の中間位置にもう一つの滑車１２を設けている。そして、この実施の形態においては、遮蔽網１を昇降させる索条は３条となっており、その１条目の索条１３は水平バー１１の一端寄りの部位に繋着されて滑車４、５、７の順に掛け回されて水平バー１１の他端部に繋着されている。その２条目の索条１４は水平バー１１の他端部に繋着されて滑車５、４、６の順に掛け回されて水平バー１１の一端部に繋着されている。その３条目の索条１５は水平バー１１の中間部に繋着されて滑車１２、５、７の順に掛け回されて水平バー１１の他端部に繋着されている。なお、その他の構成は図１に示すものと同等であり、各索条１３、１４、１５にはそれぞれ伸縮調整器（調節ネジ等）１６を備えている。
る。
【００１２】
図２に示す本発明のベランダにおけるネット昇降装置においても、索条１３または１４の垂直部を上下方向に操作することにより遮蔽網１を昇降させて任意の高さに装備することができる。なお、この実施の形態のベランダにおけるネット昇降装置は、比較的大型のものについて適当である。
【００１３】
本発明のベランダにおけるネット昇降装置はさらに図３に示すように構成することができる。図３に示す構成おいては、遮蔽網１７をそれ自体が上下方向に伸縮する伸縮網とし、遮蔽網１７の下端縁は固定バー１８に掛け止めて、遮蔽網１７自体を上方へ伸長させたり下方へ縮小させることにより遮蔽網１７が見掛け上昇降自在となるものである。なお、その他の構成は図２に示すものと同等である。
【図面の簡単な説明】
【００１４】
【図１】本発明の一実施の形態に係るベランダにおけるネット昇降装置の全体斜視図である。
【図２】本発明の他の実施の形態に係るベランダにおけるネット昇降装置の全体斜視図である。
【図３】本発明のさらに他の実施の形態に係るベランダにおけるネット昇降装置の全体斜視図である。
【符号の説明】
【００１５】
１  遮蔽網
２  天井
３  床側
４、５  滑車
６、７  滑車
８  索条
９、１０  取付部材
１１  水平バー
１２  滑車
１３、１４、１５  索条
１６  伸縮調整器（調節ネジ等）
１７  遮蔽網
１８  固定バー
【図１】
2009197387.tif 000003
【図２】
2009197387.tif 000004
【図３】
2009197387.tif 000005